(57)【要約】【課題】小型、軽量、低価格で拭き、掃き、磨き性能が高い電気掃除機用吸込具および電気掃除機を提供する。【解決手段】塵埃吸引用の開口を有する吸込室１１と、前記吸込室１１に少なくとも１つ以上配設された回転子８ａとを備え、前記回転子８ａは、前記回転子８ａと吸込室壁１４ｂとの隙間は吸込室壁１４ａとの隙間より狭く配置され、前記吸込室１１内に流れ込む吸引風ａおよび／または前記吸込室内を流れる吸引風ａにより回転子８ａが回転する電気掃除機用吸込具で、回転子８ａを空気の流れで回転させるため、モータ等の機械的駆動源が不要で、小型、軽量、低価格で拭き、掃き、磨き性能が高い吸込具を提供することができる。【選択図】  図２
2004329598.tif 000002
【特許請求の範囲】
【請求項１】
塵埃吸引用の開口を有する吸込室と、前記吸込室に少なくとも１つ以上配設された回転子とを備え、前記回転子と前記吸込室壁の一側との隙間と他側との隙間が異なるように前記回転子を設け、前記吸込室内に流れ込む気流および／または前記吸込室内を流れる気流により前記回転子が回転する電気掃除機用吸込具。
【請求項２】
塵埃吸引用の開口を有する吸込室と、前記吸込室に２つの回転子を略並行に配設し、前記回転子間の隙間を、前記回転子と前記吸込室壁との隙間より広くした電気掃除機用吸込具。
【請求項３】
塵埃吸引用の開口を有する吸込室と、前記吸込室に２つの回転子を略並行に配設し、前記２つの回転子を回転時に接触させるようにした電気掃除機用吸込具。
【請求項４】
塵埃吸引用の開口を有する吸込室と、前記吸込室に少なくとも１つ以上配設された回転子とを備え、前記回転子の長手方向を掃除方向と略同一方向に配置した電気掃除機用吸込具。
【請求項５】
回転子の長手方向を掃除方向と略垂直方向に配置した請求項１〜４のいずれか１項記載の電気掃除機用吸込具。
【請求項６】
回転子の表面が起毛布からなる請求項１〜５のいずれか１項に記載の電気掃除機用吸込具。
【請求項７】
回転子が回転している時、起毛布の繊維と被掃除面との接触代を０．２ｍｍ〜１ｍｍとした請求項６記載の電気掃除機用吸込具。
【請求項８】
起毛布に直接気流が当たることで、回転子が回転する請求項６または７記載の電気掃除機用吸込具。
【請求項９】
起毛布の繊維を倒伏させるとともに、前記倒伏している繊維の先端側から、気流を起毛布に当てる請求項８記載の電気掃除機用吸込具。
【請求項１０】
起毛布の繊維を、一方向に倒伏させた請求項９記載の電気掃除機用吸込具。
【請求項１１】
回転子の回転軸に対して、略垂直に起毛布の繊維を倒伏させた請求項９または１０記載の電気掃除機用吸込具。
【請求項１２】
起毛布を回転子の外周に螺旋状に巻きつけた請求項６〜１１のいずれか１項に記載の電気掃除機用吸込具。
【請求項１３】
回転子に、気流を当てるための風受部を設けた請求項１〜１２のいずれか１項に記載の電気掃除機用吸込具。
【請求項１４】
吸込室に風量調節部を設けた請求項１〜１３のいずれか１項に記載の電気掃除機用吸込具。
【請求項１５】
塵埃を吸引する吸口体と前記吸口体に着脱自在に装着される吸込具とを備えた請求項１〜１４のいずれか１項に記載の電気掃除機用吸込具。
【請求項１６】
掃除機本体が内蔵する吸引風を発する電動送風機に、請求項１〜１５のいずれか１項に記載の電気掃除機用吸込具の吸込室が連通する電気掃除機。
【発明の詳細な説明】
【０００１】
【発明の属する技術分野】
本発明は、塵埃を吸引する電気掃除機用吸込具およびそれを用いた電気掃除機に関するものである。
【０００２】
【従来の技術】
従来のこの種の電気掃除機用吸込具は、吸込口内に極細繊維を使用した起毛布を横幅のベルト状に形成した回転起毛布を、その内部に配設した主動ドラムと従動ドラムにて回転自在に構成し、さらに主動ドラムを回転させる駆動源を内設したものであり、被掃除面に対して軟らかい弾力性が得られしかも極めてソフトな感触により雑巾がけと同様の作用が得られ、傷付けが解消できると共にベルト状の回転起毛布を吸込具の往復動作に関係なく回転させる駆動源を内設したものであり、被掃除面に対して拭き、掃き、磨きの作用が得られることにより、特に汚れのひどい被掃除面に対して短時間に効率よく掃除作業が行えるものである（例えば、特許文献１参照）。
【０００３】
【特許文献１】
特開平６−７０８６８号公報
【０００４】
【発明が解決しようとする課題】
しかしながら上記従来の構成では、回転起毛布を回転させる駆動源を内設させる必要があり吸込具の大型、重量化になっていた。また、ベルトもしくはギアなどの機構が必要なため複雑になり単価が高くなるという問題があった。
【０００５】
本発明は上記従来の課題を解決するもので、小型、軽量、低価格で拭き、掃き、磨き性能が高い電気掃除機用吸込具および電気掃除機を提供することを目的としている。
【０００６】
【課題を解決するための手段】
本発明は上記目的を達成するために、塵埃吸引用の開口を有する吸込室と、前記吸込室に少なくとも１つ以上配設された回転子とを備え、前記回転子と前記吸込室壁の一側との隙間と他側との隙間が異なるように前記回転子を設け、前記吸込室内に流れ込む気流および／または前記吸込室内を流れる気流により前記回転子が回転する電気掃除機用吸込具で、一方の外壁との隙間を広くすることにより多くの空気を流入させ、もう一方の外壁との隙間を狭くすることにより空気の流入を阻み、その差を大きくし回転子を回転させるため、モータ等の機械的駆動源が不要であり、小型、軽量、低価格で拭き、掃き、磨き性能が高い吸込具を提供することができる。
【０００７】
【発明の実施の形態】
本発明の請求項１に記載の発明は、塵埃吸引用の開口を有する吸込室と、前記吸込室に少なくとも１つ以上配設された回転子とを備え、前記回転子と前記吸込室壁の一側との隙間と他側との隙間が異なるように前記回転子を設け、前記吸込室内に流れ込む気流および／または前記吸込室内を流れる気流により前記回転子が回転する電気掃除機用吸込具で、一方の外壁との隙間を広くすることにより多くの空気を流入させ、もう一方の外壁との隙間を狭くすることにより空気の流入を阻み、その差を大きくし回転子を回転させるため、モータ等の機械的駆動源が不要であり、小型、軽量、低価格で拭き、掃き、磨き性能が高い吸込具を提供することができる。
【０００８】
本発明の請求項２に記載の発明は、塵埃吸引用の開口を有する吸込室と、前記吸込室に２つの回転子を略並行に配設し、前記回転子間の隙間を、前記回転子と前記吸込室壁との隙間より広くするもので、回転子間に多くの空気を流入するので、２つの回転子はそれぞれ回転子間の隙間に引き込まれるように回転し、被掃除面の塵埃を吸込室外部に掃き飛ばすことなく掃除することができる。
【０００９】
本発明の請求項３に記載の発明は、塵埃吸引用の開口を有する吸込室と、前記吸込室に２つの回転子を略並行に配設し、前記２つの回転子を回転時に接触させるようにしたもので、回転子が回転し被掃除面を掃除すると同時にお互いに接触しているため回転子に付着した塵埃等をクリーニングする効果が生じ、常にきれいな回転子で被掃除面を掃除することができる。
【００１０】
本発明の請求項４に記載の発明は、塵埃吸引用の開口を有する吸込室と、前記吸込室に少なくとも１つ以上配設された回転子とを備え、前記回転子の長手方向を掃除方向と略同一方向に配置したもので、掃除方向に対して吸込具を縦長にすることができ、家具の間等の狭い隙間でも掃除しやすい吸込具を提供することができる。
【００１１】
本発明の請求項５に記載の発明は、回転子の長手方向を掃除方向と略垂直方向に配置するもので、掃除方向に対して吸込具を横長にすることができ、一度に広い範囲を掃除することができる吸込具を提供することができる。
【００１２】
本発明の請求項６に記載の発明は、回転子の表面を起毛布で構成するもので、被掃除面に対して拭き、掃き、磨き性能が高い吸込具を提供することができる。
【００１３】
本発明の請求項７に記載の発明は、回転子が回転している時の起毛布の繊維と被掃除面との接触代を０．２ｍｍ〜１ｍｍとしたもので、回転数の減少を最小限抑えながら、起毛布によって被掃除面を掃除することができる。
【００１４】
本発明の請求項８に記載の発明は、起毛布に直接気流が当たることで、回転子が回転するもので、起毛布のみの構成でその他に機構部品を用いないため構造が単純で、信頼性が高く低価格な吸込具を提供することができる。
【００１５】
本発明の請求項９に記載の発明は、起毛布の繊維を倒伏させるとともに、前記倒伏している繊維の先端側から、気流を起毛布に当てるもので、回転子に加わる回転トルクが大きくなり、回転子による拭き、掃き、磨き性能が高まる。
【００１６】
本発明の請求項１０に記載の発明は、起毛布の繊維を、一方向に倒伏させたもので、起毛布の繊維全体が風受けとなることで、より強い回転力が得られ、拭き、掃き、磨き性能が高い吸込具を提供することができる。
【００１７】
本発明の請求項１１に記載の発明は、回転子の回転軸に対して、略垂直に起毛布の繊維を倒伏させたもので、倒伏している繊維が風受けとなり、強い回転力が得られ、拭き、掃き、磨き性能が高い吸込具を提供することができる。
【００１８】
本発明の請求項１２に記載の発明は、起毛布を回転子の外周に螺旋状に巻きつけたもので、起毛布を螺旋状に巻きつけることにより、起毛布のつなぎ目に気流が入り易くなることで、風を受けやすくなり、より大きな回転力が得られ拭き、掃き、磨き性能が高い吸込具を提供することができる。
【００１９】
本発明の請求項１３に記載の発明は、回転子に気流を当てるための風受部を設けたもので、起毛布だけでなく、風を受けても変形せず漏れのない羽根等の風受部によっても風を受けることができるため、より大きな回転力が得られ拭き、掃き、磨き性能が高い吸込具を提供することができる。
【００２０】
本発明の請求項１４に記載の発明は、吸込室に風量調節部を設けたもので、風量が大きい時は、吸込室内を開放に近づけ回転子の回転数を下げることで騒音防止、また、風量が少ない時は、吸込室内を密閉に近づけ回転子の回転数を上げることで、使用性および拭き、掃き、磨き性能の向上が実現できる。
【００２１】
本発明の請求項１５に記載の発明は、塵埃を吸引する吸口体と前記吸口体に着脱自在に装着される吸込具とを備えたもので、吸口体に装着された状態では被掃除面を幅広く掃除でき、吸口体から離脱した吸込具単独状態では吸口体では無理な狭い場所の掃除を行うことができる。
【００２２】
本発明の請求項１６に記載の発明は、掃除機本体が内蔵する吸引風を発する電動送風機に、請求項１〜１５のいずれか１項に記載の電気掃除機用吸込具の吸込室が連通する電気掃除機で、使用性の高い電気掃除機を提供できる。
【００２３】
【実施例】
（実施例１）
以下、本発明の第１の実施例を、図１〜図３を用いて説明する。
【００２４】
図１において、電気掃除機１は、塵埃を吸引する吸口体１３と前記吸口体１３に着脱自在な吸込具３を有し、先端に前記吸込具３を着脱可能に装着した延長管２は、手元ハンドル４に連結され、前記手元ハンドル４に接続されたホース６は、ホース継ぎ手５によって掃除機本体７に連結されている。なお、吸口体１３と吸込具３は、前記吸口体１３に前記吸込具３を装着した状態でも、また、前記吸口体１３から前記吸込具３を外した状態の前記吸込具３単独でも、被掃除面の塵埃を吸引でき、前記掃除機本体７の集塵部（図示せず）に塵埃を移送できる構成となっている。
【００２５】
吸込具３は、図２に示すように、極細繊維の紡績布からなるカット繊維状の起毛布を巻きつけられた回転子８ａを、回転子８ａと吸込室壁１４ｂとの隙間は吸込室壁１４ａとの隙間より狭くし、塵埃吸引用の開口を有する吸込室１１に臨んで設けている。回転子８ａの外周に巻き付けられた起毛布の繊維は、図３に示すように、回転軸８ｃに対して略垂直方向（回転方向とは反対方向）の一方向に倒伏されており、かつ螺旋状に巻きつけられている。また回転子８ａを回転している時起毛布の繊維と被掃除面を０．５ｍｍ圧接させる位置に配置している。
【００２６】
なお、本実施例においては、回転子は１個設けられているが、２個でも、また２個以上を有していても、以下に述べる拭き、掃き効果は十分発揮できる。
【００２７】
上記構成における動作は、以下の通りである。
【００２８】
掃除機本体７を動作させると、前記掃除機本体７に内蔵されている電動送風機（図示せず）が作動し、それにより吸引風ａが回転子８ａと吸込室壁１４ａとの間を通り吸込室１１に向かって吸引風ａが流れる。その後、前記吸引風ａは、回転子８ａの起毛布に衝突することで、風圧により回転子８ａを回転させる。なお、本実施例においては、被掃除面と吸込具３の下面の隙間より、前記吸込室１１へと流入する吸引風ａによって回転子８ａを回転させるものであるが、さらに、前記吸込具３の側面に開口（図示せず）を設け、前記開口より吸引風ａを前記吸込室１１内に流入させ、前記吸込室１１内に流入させた吸引風により、前記回転子８ａを回転させる構成としてもよい。
【００２９】
また、回転子８ａの外周に巻き付けられた起毛布の繊維は、回転軸８ｃに対して略垂直方向（回転方向とは反対方向）に倒伏されており、吸引風ａは、その倒伏された起毛布の先端側から、前記回転子８ａに衝突するため、倒伏している繊維が風受けとなり、強い回転力が得られる。なお、吸引風ａは、その倒伏された起毛布の先端側から、前記回転子８ａに衝突するが、起毛布の繊維の根元側から吸引風ａが流入しなければ、回転力は得られるが、前記起毛布の先端に対して、吸引風ａが左右方向に各々略４５°の範囲で流入するのが望ましい。
【００３０】
以上により、本実施例においては、回転子８ａを、一方の吸込室壁１４ａとの隙間を広くすることにより多くの空気を流入させ、もう一方の外壁１４ｂとの隙間を狭くすることにより空気の流入を阻み、その差を大きくし回転子８ａを回転させるため、モータ等の機械的駆動源が不要であり、小型、軽量、低価格で拭き、掃き、磨き性能が高い吸込具を提供することができる。
【００３１】
また、回転子８ａの表面を起毛布で構成しているため被掃除面に対して拭き、掃き、磨き性能が高い吸込具を提供することができる。
【００３２】
また、回転子８ａの長手方向を掃除方向と略垂直方向に配置することにより掃除方向に対して吸込具を横長にすることができ、一度に広い範囲を掃除することができる吸込具を提供することができる。
【００３３】
また、起毛布の繊維に直接空気を当てて回転させるため、起毛布のみの構成でその他に機構部品を用いないため、構造が単純で、信頼性が高く低価格な吸込具を提供することができる。
【００３４】
また、起毛布の繊維を、回転軸８ｃに対して略垂直方向（回転方向とは反対方向）に倒伏させることにより、風圧を受けることができることで、風を受けやすくなり、より大きな回転力が得られ拭き、掃き、磨き性能が高い吸込具を提供することができる。
【００３５】
次に、起毛布の繊維を、一方向（回転軸に対して略垂直方向（回転方向とは反対方向））に倒伏させることによって、空気が当たった時だけ繊維が起き、風車のように風を受けやすくなり、より大きな回転力が得られ拭き、掃き、磨き性能が高い吸込具を提供することができる。
【００３６】
また、起毛布を回転子８ａの外周に螺旋状に巻きつけることにより、起毛布のつなぎ目に向かって気流が衝突することで、風を受けやすくなり、より大きな回転力が得られ拭き、掃き、磨き性能が高い吸込具を提供することができる。
【００３７】
さらに、回転子８ａが回転している時、起毛布の繊維と被掃除面との接触代（圧接代）が、０．２ｍｍ未満だと、被掃除面との接触面積が小さすぎるため拭き、掃き、磨き性能が低い。また１ｍｍ以上接触させると回転数が急激に減少し拭き、掃き、磨き性能が低い。そこで０．２ｍｍ〜１ｍｍの範囲で接触（圧接）させることにより回転数の減少を最小限にしながら起毛布によって被掃除面を十分掃除することができる。
【００３８】
また、吸込具３を吸口体１３に装着した状態では、被掃除面を幅広く掃除でき、また吸口体１３から吸込具３を離脱して、吸込具３単独で使用する場合は吸口体１３では無理な狭い場所の掃除を行うことができる。
【００３９】
（実施例２）
次に、本発明の第２の実施例を図４〜図６を用いて説明する。なお、上記実施例と同一構成部品には同一符号を付し、その説明は省略する。
【００４０】
吸込具３には、図４に示すように、極細繊維の紡績布からなるカット繊維状の起毛布を巻きつけられた２つの回転子８ａ、８ｂを設け、両回転子８ａ、８ｂ間の隙間を吸込室壁１４ａ、１４ｂとの隙間より広く配置し、掃除方向と略同一方向に塵埃吸引用の開口を有する吸込室１１に臨んで設けている。さらに、図５に示すように、吸込具３の先端部には開閉自在で、風量調節部となる風量調節弁９が設けられ、弾性体であるバネ１０によって保持されている。また、図６に示すように回転子は吸引風ａによって回転方向に回転する。
【００４１】
上記構成における動作は以下の通りである。
【００４２】
掃除機本体７を動作させると、前記掃除機本体７に内蔵されている電動送風機（図示せず）が作動し、吸込室１１に向かって吸引風ａが流れる。その後、前記吸引風ａは、回転子８ａ、８ｂの起毛布に衝突することで、風圧により回転子８ａ、８ｂを回転させ、被掃除面の塵埃を拭き、掃き、磨いた後、塵埃は、延長管２、手元ハンドル４、ホース６、ホース継ぎ手５を通して掃除機本体７に吸引される。
【００４３】
また、風量調節弁９は、吸込室１１に流入する吸引風による押圧により開き、その押圧がバネ１０による付勢力とバランスが取れた位置で静止する。これにより、風量が大きい時は吸込室１１内を開放に近づけ、回転子８ａ、８ｂの回転数を下げることにより騒音防止、または風量が少ない時は、吸込室１１内を密閉に近づけ回転子８ａ、８ｂの回転数を上げることにより、拭き、掃き、磨き性能の向上が実現できる。
【００４４】
以上により、本実施例においては、２つの回転子８ａ、８ｂ間の隙間を広くすることにより回転子８ａ、８ｂ間に多くの空気を流入させているため、２つの回転子８ａ、８ｂはそれぞれ両回転子間の隙間に引き込まれるように回転し、被掃除面の塵埃を吸込室外部に掃き飛ばすことなく掃除することができる。
【００４５】
また、回転子８ａ、８ｂの長手方向を掃除方向と略同一方向に配置することにより掃除方向に対して吸込具を縦長にすることができ、家具の間等の狭い隙間でも掃除しやすい吸込具を提供することができる。
【００４６】
（実施例３）
次に、本発明の第３の実施例を図７を用いて説明する。なお、上記実施例と同一構成部品には同一符号を付し、その説明は省略する。
【００４７】
吸込具３は、図７に示すように、極細繊維の紡績布からなるカット繊維状の起毛布を巻きつけられた２つの回転子８ａ、８ｂが、回転時に互いに接触させるように配置している。
【００４８】
上記構成における動作は以下の通りである。
【００４９】
掃除機本体７を動作させると、前記掃除機本体７に内蔵されている電動送風機（図示せず）が作動し、吸込室１１に向かって吸引風ａが流れる。その後、前記吸引風ａは、回転子８ａ、８ｂの起毛布に衝突することで、風圧により回転子８ａ、８ｂを回転させ、被掃除面の塵埃を拭き、掃き、磨いた後、回転子同士が接触し、塵埃は、延長管２、手元ハンドル４、ホース６、ホース継ぎ手５を通して掃除機本体７に吸引される。
【００５０】
以上により、本実施例においては、２つの回転子８ａ、８ｂを回転時に接触させるようにしたため、２つの回転子８ａ、８ｂが回転し被掃除面を掃除すると同時にお互いに接触しているためそれぞれの回転子８ａ、８ｂに付着した塵埃等をクリーニングする効果が生じ、常にきれいな回転子８ａ、８ｂで被掃除面を掃除することができる。
【００５１】
（実施例４）
次に、本発明の第４の実施例を図８を用いて説明する。なお、上記実施例と同一構成部品には同一符号を付し、その説明は省略する。
【００５２】
図８において、回転子８ａは起毛布とともに、風受部なる羽根１２を具備している。
【００５３】
上記構成における動作は以下の通りである。
【００５４】
掃除機本体７を動作させたとき発生した吸引風は、回転子８ａ、８ｂの起毛布とともに、羽根１２に当たり風圧による動力を伝達することで、前記回転子８ａ、８ｂは回転し、被掃除面の塵埃を拭き、掃き、磨いた後、塵埃は、延長管２、手元ハンドル４、ホース６、ホース継ぎ手５を通して掃除機本体７に吸引される。
【００５５】
起毛布の繊維以外に、空気を当てる羽根１２を設けることにより、起毛布だけでなく風を受けても変形せず漏れのない羽根１２によって風を受けることができるため、より大きな回転力が得られ拭き、掃き、磨き性能が高い吸込具を提供することができる。
【００５６】
なお、本実施例では回転子８ａに羽根１２を直接設け動力を伝達する構成としたが、羽根１２が前記回転子８ａに直接設けられてなく、ベルト等の伝達機構を用いて回転子８ａに動力を伝達するものであっても同様の効果が得られるものである。
【００５７】
【発明の効果】
以上のように本発明によれば、小型、軽量、低価格で拭き、掃き、磨き性能が高い電気掃除機用吸込具および電気掃除機を提供できる。
【図面の簡単な説明】
【図１】本発明の第１の実施例を示す電気掃除機用吸込具を接続した電気掃除機の全体斜視図
【図２】同電気掃除機用吸込具の下面図
【図３】同電気掃除機用吸込具の回転子の斜視図
【図４】本発明の第２の実施例を示す電気掃除機用吸込具の底面図
【図５】同電気掃除機用吸込具の側断面図
【図６】同電気掃除機用吸込具の正面断面図
【図７】本発明の第３の実施例を示す電気掃除機用吸込具の下面図
【図８】本発明の第４の実施例を示す電気掃除機用吸込具の回転子の斜視図
【符号の説明】
１      電気掃除機
３      吸込具
７      掃除機本体
８ａ、８ｂ  回転子
９      風量調節弁
１１  吸込室
１３  吸口体
１４ａ、１４ｂ  吸込室壁
【図１】
2004329598.tif 000003
【図２】
2004329598.tif 000004
【図３】
2004329598.tif 000005
【図４】
2004329598.tif 000006
【図５】
2004329598.tif 000007
【図６】
2004329598.tif 000008
【図７】
2004329598.tif 000009
【図８】
2004329598.tif 000010